(57)【要約】【課題】課題は、回路ブロックへの電線の接続の作業性を向上でき、かつ、高さ方向の寸法を小さくできる、照明器具を提供することである。【解決手段】照明器具１０は、光源ブロック２０に電気的に接続される回路ブロック３０と、光源ブロック２０及び回路ブロック３０を保持する筐体４０とを備える。筐体４０は、高さ及び幅を有する箱状であって高さ方向の第１面５０ａ及び第２面５０ｂに第１開口５０１及び第２開口５０２をそれぞれ有する本体５０を有する。筐体４０は、光源ブロック２０からの光を第１開口５０１を通して本体５０の外部に出射させるように光源ブロック２０を保持する。第２開口５０２は、第２開口５０２は、本体５０の高さ方向に直交する面内において、光源ブロック２０と重複していない。筐体４０は、回路ブロック３０を、第２開口から本体５０の内部に回路ブロック３０の一部が突出した状態で保持する。【選択図】  図１
2020181741.tif 000002
【特許請求の範囲】
【請求項１】
光源ブロックに電気的に接続される回路ブロックと、
前記光源ブロック及び前記回路ブロックを保持する筐体と、
を備え、
前記筐体は、高さ及び幅を有する箱状であって高さ方向の第１面及び第２面に第１開口及び第２開口をそれぞれ有する本体を有し、
前記筐体は、前記光源ブロックからの光を前記第１開口を通して前記本体の外部に出射させるように前記光源ブロックを保持し、
前記第２開口は、前記本体の高さ方向に直交する面内において、前記光源ブロックと重複しておらず、
前記筐体は、前記回路ブロックを、前記第２開口から前記本体の内部に前記回路ブロックの一部が突出した状態で保持する、
照明器具。
【請求項２】
前記筐体は、前記光源ブロックを、前記本体内における前記本体の幅方向の第１側壁よりも第２側壁側で保持する、
請求項１の照明器具。
【請求項３】
前記第２開口は、前記第２側壁よりも前記第１側壁側に位置する、
請求項２の照明器具。
【請求項４】
前記筐体は、前記回路ブロックを保持する保持具を有し、
前記保持具は、前記第２開口の前記第１側壁側の縁から前記本体の高さ方向に沿って前記本体の外方に延びる延出部を有し、
前記回路ブロックは、前記回路ブロックの高さが前記本体の幅方向に沿うように前記延出部に固定される、
請求項２又は３の照明器具。
【請求項５】
前記保持具は、前記延出部の先端から、前記本体の幅方向に沿って突出し、前記本体の高さ方向に直交する面内において、前記回路ブロックの全体を覆う保護部を有する、
請求項４の照明器具。
【請求項６】
前記回路ブロックは、電線が接続される端子台を含む、
請求項５の照明器具。
【請求項７】
前記端子台は、前記本体の高さ方向及び幅方向に交差する所定方向において、前記延出部の端にある、
請求項６の照明器具。
【請求項８】
前記端子台は、電線が挿入される接続孔を有し、
前記端子台は、前記接続孔への電線の挿入方向が前記所定方向に沿うように配置される、
請求項７の照明器具。
【請求項９】
前記端子台は、前記接続孔から電線を引き抜くための解除釦を有し、
前記端子台は、前記解除釦の操作方向が前記本体の幅方向に沿うように配置される、
請求項８の照明器具。
【請求項１０】
前記端子台は、前記本体の幅方向において、前記第２開口の前記第２側壁側の縁から所定間隔を隔てて配置されている、
請求項９の照明器具。
【請求項１１】
前記光源ブロックからの光を反射する反射面を有する反射板を更に備え、
前記反射板は、前記反射面が前記第１開口を向くように、前記本体内において、前記第１側壁と前記光源ブロックとの間に位置する、
請求項２〜１０のいずれか一つの照明器具。
【請求項１２】
前記反射板は、前記本体の外側から前記本体に取り付けられる固定具により前記本体に取り付けられる、
請求項１１の照明器具。
【請求項１３】
前記本体は、前記第１面の前記第１側壁側の縁から前記本体の幅方向に沿って前記本体の外方に突出するフランジ部を備える、
請求項２〜１２のいずれか一つの照明器具。
【請求項１４】
前記フランジ部は第１フランジ部であり、
前記本体は、前記第１面の前記第２側壁側の縁から前記本体の幅方向に沿って前記本体の外方に突出する第２フランジ部を備え、
前記第１フランジ部は、前記第２フランジ部よりも、前記本体の幅方向における寸法が長い
請求項１３の照明器具。
【請求項１５】
前記光源ブロックを更に備える、
請求項１〜１４のいずれか一つの照明器具。
【発明の詳細な説明】
【技術分野】
【０００１】
本開示は、一般に、照明器具に関する。本開示は、特に、建物を構成する部材に取り付けられる照明器具に関する。
【背景技術】
【０００２】
特許文献１は、ウォールウォッシャ型の照明器具を開示する。特許文献１の照明器具は、長尺に形成された光源部と、被取付部に設置され光源部が取り付けられる器具本体（筐体）とを備えている。光源部は、発光素子基板（光源ブロック）、保持部、カバー部、光源蓋部、連結具、点灯装置（回路ブロック）を備えている。
【先行技術文献】
【特許文献】
【０００３】
【特許文献１】特開２０１６−１２２６０３号公報
【発明の概要】
【発明が解決しようとする課題】
【０００４】
特許文献１では、点灯装置が器具本体ではなく、器具本体に取り付けられる光源部の保持部に設けられている。更に、点灯装置は、保持部と器具本体との間に収容される。そのため、特許文献１では、回路ブロックへの電線の接続の作業性に課題があった。
【０００５】
課題は、回路ブロックへの電線の接続の作業性を向上でき、かつ、高さ方向の寸法を小さくできる、照明器具を提供することである。
【課題を解決するための手段】
【０００６】
本開示の一態様の照明器具は、光源ブロックに電気的に接続される回路ブロックと、前記光源ブロック及び前記回路ブロックを保持する筐体とを備える。前記筐体は、高さ及び幅を有する箱状であって高さ方向の第１面及び第２面に第１開口及び第２開口をそれぞれ有する本体を有する。前記筐体は、前記光源ブロックからの光を前記第１開口を通して前記本体の外部に出射させるように前記光源ブロックを保持する。前記第２開口は、前記本体の高さ方向に直交する面内において、前記光源ブロックと重複していない。前記筐体は、前記回路ブロックを、前記第２開口から前記本体の内部に前記回路ブロックの一部が突出した状態で保持する。
【発明の効果】
【０００７】
本開示の態様によれば、回路ブロックへの電線の接続の作業性を向上でき、かつ、高さ方向の寸法を小さくできる、という効果を奏する。
【図面の簡単な説明】
【０００８】
【図１】図１は、一実施形態の照明器具の断面図であって、上記照明器具が建物に設置されている状態を示す。
【図２】図２は、上記照明器具の上方斜視図である。
【図３】図３は、上記照明器具の別の上方斜視図である。
【図４】図４は、上記照明器具の下方斜視図である。
【図５】図５は、上記照明器具の別の下方斜視図である。
【図６】図６は、上記照明器具の平面図である。
【図７】図７は、上記照明器具の底面図である。
【図８】図８は、上記照明器具の上方分解斜視図である。
【図９】図９は、上記照明器具の本体の分解斜視図である。
【図１０】図１０は、上記照明器具の概略説明図である。
【発明を実施するための形態】
【０００９】
１．実施形態
１．１  概要
図１は、本実施形態の照明器具１０を示す。照明器具１０は、光源ブロック２０に電気的に接続される回路ブロック３０と、光源ブロック２０及び回路ブロック３０を保持する筐体４０とを備える。筐体４０は、高さ及び幅を有する箱状であって高さ方向の第１面５０ａ及び第２面５０ｂに第１開口５０１及び第２開口５０２をそれぞれ有する本体５０を有する。筐体４０は、光源ブロック２０からの光を第１開口５０１を通して本体５０の外部に出射させるように光源ブロック２０を保持する。第２開口５０２は、本体５０の高さ方向に直交する面内において、光源ブロック２０と重複していない。筐体４０は、回路ブロック３０を、第２開口５０２から本体５０の内部に回路ブロック３０の一部が突出した状態で保持する。
【００１０】
ここで、回路ブロック３０には電線を接続する必要があるから、回路ブロック３０全体を本体５０内に収容すると、回路ブロック３０への電線の接続の作業性が悪化する。一方、回路ブロック３０全体を本体５０の第２面５０ｂ上に配置すると、照明器具１０が全体として大型化、特に、高さ方向の寸法が大きくなる。そこで、照明器具１０では、筐体４０の本体５０に、本体５０の高さ方向に直交する面内において、光源ブロック２０と重複しないように第２開口５０２を設けている。そして、筐体４０は、回路ブロック３０を、第２開口５０２から本体５０の内部に回路ブロック３０の一部が突出した状態で保持する。この場合には、回路ブロック３０が部分的に本体５０の外部に露出していることから、回路ブロック３０への電線の接続の作業性を向上できる。しかも、回路ブロック３０が光源ブロック２０と干渉することなく、回路ブロック３０の一部を本体５０内に配置できる。これによって、本体５０の第２面５０ｂからの回路ブロック３０の突出量を低下させることができて、照明器具１０の高さ方向の寸法を小さくできる。よって、本実施形態の照明器具１０によれば、回路ブロック３０への電線の接続の作業性を向上でき、かつ、（照明器具１０及び筐体４０の）高さ方向の寸法を小さくできる。
【００１１】
１．２  詳細
以下、本実施形態の照明器具１０について、図１〜図１０を参照して説明する。照明器具１０は、建物を構成する部材に取り付けられる照明器具である。より詳細には、照明器具１０は、図１及び図１０に示すように、建物を構成する部材である天井１００に設置される。本実施形態では、天井１００は、システム天井である。天井１００は、建物の躯体（天井下地）に設けられた吊りボルト１１４にハンガー１１３を利用して吊り下げられる複数のバー１２０と、複数のバー１２０で支持される複数の天井パネル１３０とを備える。更に、ハンガー１１３には、壁面１１０を構成するためのパーティション１１１が吊り下げられる。パーティション１１１の表面には、意匠性の観点から表面材１１２，１１２が取り付けられる。ここで、照明器具１０は、建物の部屋全体を照らすというよりは、建物の壁面１１０を照らすために用いられる（図１０中の矢印は照明器具１０から照射される光を示している）。つまり、照明器具１０は、ダウンライトの一種であるウォールウォッシャであるといえる。
【００１２】
照明器具１０は、図１に示すように、光源ブロック２０と、回路ブロック３０と、筐体４０と、反射板８０とを備える。光源ブロック２０、回路ブロック３０、及び反射板８０は、筐体４０に取り付けられる。
【００１３】
筐体４０は、図２〜図８に示すように、本体５０と、保持具６０と、一対の固定具７０（特に、図３、図４、図６、図７参照）とを備える。
【００１４】
本体５０は、図１に示すように、高さ及び幅を有する箱状である。特に、本体５０は、図２〜図８に示すように、高さ、幅、及び長さを有する直方体の箱状である。本体５０は、図１に示すように、高さ方向（図１の上下方向）の第１面５０ａ及び第２面５０ｂを有する。また、本体５０は、図６に示すように、幅方向（図６の上下方向）の第１側壁５０ｃ及び第２側壁５０ｄ、及び、長さ方向（図６の左右方向）の第３側壁５０ｅ及び第４側壁５０ｆを有する。上述したように、照明器具１０は、図１及び図１０に示すように、建物を構成する部材である天井１００に設置される。照明器具１０が天井１００に設置された場合において、本体５０の第１面５０ａが下方を向き、第２面５０ｂが上方を向くことになる。
【００１５】
本体５０は、第１面５０ａ及び第２面５０ｂに第１開口５０１及び第２開口５０２をそれぞれ有する。第１開口５０１は、図４、図５、及び図７に示すように、第１面５０ａの全体に及ぶ開口である。第２開口５０２は、図２、図３、及び図６に示すように、第２面５０ｂの長さの全体に及ぶが、第２面５０ｂの幅の全体には及んでいない。第２開口５０２は、第２面５０ｂにおいて、第２側壁５０ｄよりも第１側壁５０ｃ側に位置する。
【００１６】
本体５０は、図９に示すように、第１部材５１、第２部材５２、第３部材５３、及び第４部材５４で構成される。本実施形態では、第１部材５１、第２部材５２、第３部材５３、及び第４部材５４は、金属製である。一例では、第１部材５１、第２部材５２、第３部材５３、及び第４部材５４は、各々、金属板の打ち抜き加工、及び折り曲げ加工により形成され得る。なお、第１部材５１、第２部材５２、第３部材５３、及び第４部材５４を形成するための金属板は、表面が塗装されていてよく、これによって、絶縁性、耐熱性、耐候性、意匠性等の所望の特性を付与できる。
【００１７】
第１部材５１は、主に本体５０の第１側壁５０ｃを構成する。より詳細には、第１部材５１は、図９に示すように、主部５１１と、突出部５１２と、（第１）フランジ部５１３とを備える。主部５１１は、長さ、幅及び厚みを有する矩形板状である。主部５１１は、第１側壁５０ｃとなる部位である。本実施形態では、主部５１１の長さ方向、幅方向及び厚み方向は、本体５０の長さ方向、高さ方向及び幅方向にそれぞれ一致する。主部５１１の幅方向の第１端（図９の下端）５０１ａは、本体５０の第１面５０ａの第１側壁５０ｃ側の縁となる。主部５１１の幅方向の第２端（図９の上端）５０２ａは、本体５０の第２開口５０２の第１側壁５０ｃ側の縁となる。突出部５１２は、長さ、幅及び厚みを有する矩形板状である。突出部５１２は、長さが主部５１１より短い。突出部５１２は、主部５１１の幅方向の第２端５０２ａから主部５１１の幅方向に沿って突出する。突出部５１２は、主部５１１の長さ方向の中央部に位置する。突出部５１２は、保持具６０を本体５０に取り付けるために用いられる。
【００１８】
フランジ部５１３は、長さ、幅及び厚みを有する矩形板状である。フランジ部５１３は、長さが主部５１１に等しい。フランジ部５１３は、主部５１１の幅方向の第１端５０１ａから主部５１１の厚み方向に沿って第２部材５２とは反対側（つまり本体５０の外方）へ突出する。本実施形態では、照明器具１０は、フランジ部５１３を壁面１１０側に向けて天井１００に設置することを想定している。そのため、フランジ部５１３の幅（つまり、本体５０からの突出量）は、特には限定されないが、フランジ部５１３の先端が壁面１１０を構成するパーティション１１１に重複することが好ましい。この場合、フランジ部５１３は、図１に示すように、第１側壁５０ｃとパーティション１１１との間の隙間を隠すために利用可能である。なお、図１に示す例とは異なるが、フランジ部５１３は、照明器具１０の配置の仕方にもよるが天井パネル１３０の支持にも利用可能である。
【００１９】
第２部材５２は、主に本体５０の第２側壁５０ｄを構成する。より詳細には、第２部材５２は、図９に示すように、主部５２１と、第１突出部５２２と、（第２）フランジ部５２３と、第２突出部５２４とを備える。主部５２１は、長さ、幅及び厚みを有する矩形板状である。主部５２１は、第２側壁５０ｄとなる部位である。本実施形態では、主部５２１の長さ方向、幅方向及び厚み方向は、本体５０の長さ方向、高さ方向及び幅方向にそれぞれ一致する。主部５２１の幅方向の第１端（図９の下端）５０１ｂは、本体５０の第１面５０ａの第２側壁５０ｄ側の縁となる。第１突出部５２２は、長さ、幅及び厚みを有する矩形板状である。第１突出部５２２は、長さが主部５２１に等しい。第１突出部５２２は、主部５２１の幅方向の第２端から主部５２１の厚み方向に沿って第１部材５１側へ突出する。ここで、第１突出部５２２の幅は、本体５０の第１側壁５０ｃと第２側壁５０ｄとの間の距離より短くなっており、これによって、第１部材５１と第１突出部５２２との間に第２開口５０２が形成される。よって、第１突出部５２２の先端５０２ｂは、第２開口５０２の第２側壁５０ｄ側の縁となる。
【００２０】
フランジ部５２３は、長さ、幅及び厚みを有する矩形板状である。フランジ部５２３は、長さが主部５２１に等しい。フランジ部５２３は、主部５２１の幅方向の第１端５０１ｂから主部５２１の厚み方向に沿って第１部材５１とは反対側（つまり本体５０の外方）へ突出する。ここで、（第２）フランジ部５２３は、（第１）フランジ部５１３よりも、本体５０の幅方向における寸法が短い。言い換えれば、第１フランジ部５１３は、第２フランジ部５２３よりも、本体５０の幅方向における寸法が長い。これは、本実施形態では、照明器具１０を、フランジ部５２３が壁面１１０とは反対側に向けて天井１００に設置することを想定しているからである。この場合、フランジ部５２３は、図１に示すように、第２側壁５０ｄと天井パネル１３０との間の隙間を隠すために利用可能である。また、フランジ部５２３は、天井パネル１３０の支持にも利用可能である。
【００２１】
第２突出部５２４は、図１に示すように、光源ブロック２０を隠すために用いられる。つまり、第２突出部５２４は、光源ブロック２０からの光が人の目に直接入る可能性を低減するために設けられている。第２突出部５２４は、長さ、幅及び厚みを有する矩形板状である。第２突出部５２４は、長さが主部５２１に等しい。第２突出部５２４は、主部５２１の幅方向の第１端５０１ｂから主部５２１の厚み方向に沿って第１部材５１側へ突出する。
【００２２】
第３部材５３は、本体５０の第３側壁５０ｅを構成する。第３部材５３は、長さ、幅及び厚みを有する矩形板状である。本実施形態では、第３部材５３の長さ方向、幅方向及び厚み方向は、本体５０の幅方向、高さ方向及び長さ方向に一致する。第３部材５３は、長さが、本体５０の第１側壁５０ｃと第２側壁５０ｄとの間の距離に等しい。第３部材５３は、幅が、主部５１１及び主部５２１の幅に等しい。また、第３部材５３には、固定具７０が取り付けられる。本実施形態では、第３部材５３は、固定具７０を一対のねじＳ１１により取り付けるための一対のねじ孔５３１を有する。
【００２３】
第４部材５４は、本体５０の第４側壁５０ｆを構成する。第４部材５４は、第３部材５３と同様の形状である。第４部材５４は、長さ、幅及び厚みを有する矩形板状である。本実施形態では、第４部材５４の長さ方向、幅方向及び厚み方向は、本体５０の幅方向、高さ方向及び長さ方向に一致する。第４部材５４は、長さが、本体５０の第１側壁５０ｃと第２側壁５０ｄとの間の距離に等しい。第４部材５４は、幅が、主部５１１及び主部５２１の幅に等しい。また、第４部材５４には、固定具７０が取り付けられる。本実施形態では、第４部材５４は、固定具７０を一対のねじＳ１１により取り付けるための一対のねじ孔５４１を有する。
【００２４】
第１部材５１と第２部材５２とは、第１側壁５０ｃと第２側壁５０ｄとが所定間隔を隔てて対向するように配置される。ここで、第１部材５１のフランジ部５１３と第２部材５２のフランジ部５２３とは互いに反対方向に突出する。そして、第１部材５１及び第２部材５２の長手方向の一端に第３部材５３が取り付けられ、第１部材５１及び第２部材５２の長手方向の他端に第４部材５４が取り付けられる。これによって、第１部材５１、第２部材５２、第３部材５３、及び第４部材５４が相互に結合されて、本体５０が構成される。なお、第３部材５３及び第４部材５４は溶着等により第１部材５１及び第２部材５２に取り付けられる。
【００２５】
本体５０では、第１部材５１の主部５１１、第２部材５２の主部５２１、第３部材５３、及び第４部材５４が、それぞれ、第１側壁５０ｃ、第２側壁５０ｄ、第３側壁５０ｅ、及び第４側壁５０ｆとなる。また、図７に示すように、第１部材５１の第１端５０１ａ、第２部材５２の第１端５０１ｂ、第３部材５３、及び第４部材５４で囲まれる空間が、第１開口５０１となる。一方、図６に示すように、第１部材５１の第２端５０２ａ、第２部材５２の先端５０２ｂ、第３部材５３、及び第４部材５４で囲まれる空間が、第２開口５０２となる。
【００２６】
保持具６０は、回路ブロック３０を保持するために用いられる。本実施形態では、保持具６０は、金属製である。一例では、保持具６０は、金属板の打ち抜き加工、及び折り曲げ加工により形成され得る。なお、保持具６０を形成するための金属板は、表面が塗装されていてよく、これによって、絶縁性、耐熱性、耐候性、意匠性等の所望の特性を付与できる。
【００２７】
保持具６０は、図８に示すように、延出部６１と、保護部６２とを備える。延出部６１は、第２開口５０２の第１側壁５０ｃ側の縁５０２ａから本体５０の高さ方向に沿って本体５０の外方に延びる。本実施形態では、延出部６１は、第２開口５０２の第１側壁５０ｃ側の縁５０２ａから本体５０の高さ方向に沿って本体５０の外方に延びるように、本体５０に取り付けられる。具体的には、延出部６１は、本体５０の第１部材５１の突出部５１２に取り付けられる。特に、延出部６１は、突出部５１２における第２側壁５０ｄ側の面に取り付けられる。なお、延出部６１の突出部５１２への取り付けにはねじ止め等が利用される。本実施形態では、延出部６１は、長さ、幅及び厚みを有する矩形板状である。そして、延出部６１の長さ方向、幅方向及び厚み方向は、本体５０の長さ方向、高さ方向及び幅方向に一致する。延出部６１の第２側壁５０ｄ側の面には、回路ブロック３０が固定される。保護部６２は、図１及び図６に示すように、延出部６１の先端（延出部６１の幅方向の一端）から、本体５０の幅方向に沿って突出する。保護部６２は、本体５０の幅方向に沿って、本体５０の第２側壁５０ｄ側に突出する。また、保護部６２は、図６に示すように、本体５０の高さ方向に直交する面内において、回路ブロック３０の全体を覆う。本実施形態では、保護部６２は、長さ、幅及び厚みを有する矩形板状である。そして、保護部６２の長さ方向、幅方向及び厚み方向は、本体５０の長さ方向、高さ方向及び幅方向に一致する。そして、保護部６２の長さ方向、幅方向及び厚み方向の寸法は、延出部６１に固定された回路ブロック３０を全体的に覆うことができる大きさに設定されている。
【００２８】
一対の固定具７０は、建物を構成する部材に照明器具１０を取り付けるために用いられる。本実施形態では、一対の固定具７０は、天井１００の一対のバー１２０を利用して、照明器具１０を天井１００に取り付けるために用いられる。固定具７０は、図９に示すように、取付片７１と、延出片７２と、固定片７３とを有する。取付片７１は、本体５０に取り付けられる部位である。本実施形態では、取付片７１は、板状である。取付片７１は、一対のねじＳ１１を用いて本体５０の第３部材５３と第４部材５４との一方に取り付けられる。延出片７２は、取付片７１から取付片７１の幅方向に沿って突出する。延出片７２は、バー１２０で支持される部位である。固定片７３は、延出片７２から取付片７１とは反対側に突出する。固定片７３は、図１０に示すように、バー１２０の側方に位置する。本実施形態では、ねじを利用して固定片７３をバー１２０に固定できるようになっている。
【００２９】
光源ブロック２０は、壁面１１０を照らすための光を放射するように構成される。本実施形態では、光源ブロック２０は、面光源である。光源ブロック２０は、図１、図４、及び図９に示すように、光源２１と、導光板２２と、支持板２３とを備える。図１から明らかなように、光源ブロック２０は、エッジライト（サイドライト）方式の光源である。光源２１は、線光源である。光源２１は、一例として、一列に並んだ複数のＬＥＤを有する。導光板２２は、長さ、幅、及び厚みを有する矩形板状である。導光板２２の厚み方向の一面が、発光面２２０となる。支持板２３は、第１支持片２３１と、第２支持片２３２とを備える。第１支持片２３１は、図１に示すように、本体５０に取り付けられる部位である。第１支持片２３１は、板状である。第１支持片２３１は、ねじＳ１２を用いて、第２部材５２の第１突出部５２２に固定される。第１支持片２３１は、第１側壁５０ｃよりも第２側壁５０ｄ側に位置するように、第１突出部５２２に固定される。つまり、筐体４０は、光源ブロック２０を、本体５０内における本体５０の幅方向の第１側壁５０ｃよりも第２側壁５０ｄ側で保持する。第２支持片２３２は、第１支持片２３１の第２側壁５０ｄ側の端部から、第１開口５０１に向かって延びる。第２支持片２３２は、矩形板状である。導光板２２は、第２支持片２３２の第１側壁５０ｃ側の面に取り付けられる。この場合、導光板２２は、発光面２２０が第１側壁５０ｃに対向するように配置される。光源２１は、第１支持片２３１における第１突出部５２２とは反対側に配置され、導光板２２の幅方向の一面に光を照射する。導光板２２は、その幅方向の一面に入射した光を、発光面２２０から外方へ出射させる。
【００３０】
回路ブロック３０は、光源ブロック２０に電気的に接続される。本実施形態では、回路ブロック３０は、光源ブロック２０への給電及び制御を行う。回路ブロック３０は、複数の回路ユニットを含む。本実施形態では、複数の回路ユニットは、端子台３１と、端子台３２と、電源ユニット３３と、端子台３４とを含む。
【００３１】
端子台３１は、電線が接続される端子台である。特に、端子台３１は、外部電源からの給電用の電線が接続される端子台である。端子台３１は、図１及び図２に示すように、電線が挿入される接続孔３１１を有する。本実施形態では、端子台３１は、３対の接続孔３１１を有している。端子台３１は、接続孔３１１に接続された電線が容易に接続孔３１１から抜けないように保持する保持機構を有している。保持機構は、従来周知の鎖錠ばね等により実現されるから、詳細には説明しない。端子台３１は、更に、図１及び図２に示すように、接続孔３１１に挿入された電線を引き抜くための解除釦３１２を有する。本実施形態では、端子台３１は、３対の接続孔３１１にそれぞれ対応する３つの解除釦３１２を有している。解除釦３１２を操作することで、保持機構による電線の保持が解除され、電線を、解除釦３１２に対応する接続孔３１１から引き抜くことが可能となる。本実施形態では、解除釦３１２の操作は、解除釦３１２を押す操作である。このような解除釦３１２自体も従来周知であるから詳細には説明しない。
【００３２】
端子台３２は、電源ユニット３３と光源ブロック２０とを接続するために用いられる。端子台３２には、電源ユニット３３からの電線と、光源ブロック２０からの電線とが接続され、これによって、電源ユニット３３と光源ブロック２０とは、端子台３２を介して相互に電気的に接続される。このような端子台３２は、従来周知の構成により実現可能であるから、詳細には説明しない。
【００３３】
端子台３４は、電線が接続される端子台である。特に、端子台３４は、外部装置からの信号の伝送用の電線が接続される端子台である。外部装置からの信号は、光源ブロック２０の明るさを指定する調光信号であり得る。端子台３４は、端子台３１と同様に、電線が挿入される接続孔、及び、接続孔から電線を引き抜くための解除釦を有する。このような端子台３４は、従来周知の構成により実現可能であるから、詳細には説明しない。
【００３４】
電源ユニット３３は、端子台３１及び端子台３４に電気的に接続される。これによって、電源ユニット３３は、外部電源から電力を受け取るとともに、外部装置から調光信号を受け取る。また、電源ユニット３３は、端子台３２を介して光源ブロック２０に電気的に接続される。電源ユニット３３は、光源ブロック２０に電力を供給するための電源回路を含む。電源回路は、例えば、端子台３１から得た電力（例えば、商用交流電力）を、端子台３２から得た調光信号が示す明るさに対応する、光源ブロック２０の駆動用の電力（例えば、直流電力）に変換して端子台３４から光源ブロック２０に供給する。このような電源回路は、従来周知の構成により実現可能であるから、詳細には説明しない。
【００３５】
端子台３１、端子台３２、電源ユニット３３、及び、端子台３４は、延出部６１の第２側壁５０ｄ側の面に固定される。特に、端子台３１、端子台３２、電源ユニット３３、及び、端子台３４は高さ方向が延出部６１の厚み方向（つまり、本体５０の幅方向）に沿うように延出部６１に固定されている。端子台３１、端子台３２、電源ユニット３３、及び、端子台３４の高さ方向は、回路ブロック３０の高さ方向であるといえる。よって、回路ブロック３０は、回路ブロック３０の高さ方向が本体５０の幅方向）に沿うように延出部６１に固定されている。更に、端子台３１、端子台３２、電源ユニット３３、及び、端子台３４は、この順番で、本体５０の高さ方向及び幅方向に交差する所定方向に沿って並ぶ。本実施形態では、所定方向は、本体５０の長さ方向であり、延出部６１の長さ方向に一致する。更に、端子台３１、端子台３２、電源ユニット３３、及び、端子台３４の各々は、一部が第２開口５０２から本体５０の内部に突出している。言い換えれば、端子台３１、端子台３２、電源ユニット３３、及び、端子台３４の各々は、部分的に本体５０に収容されている。
【００３６】
端子台３１は、端子台３４は、延出部６１の長さ方向の第１端に配置される。ここで、端子台３１の接続孔３１１及び解除釦３１２は外部に露出している。更に、端子台３１は、接続孔３１１が本体５０の第３側壁５０ｅ側を向くように配置される。特に、端子台３１は、接続孔３１１への電線の挿入方向が所定方向に沿うように配置される。そのため、電線を端子台３１に接続する作業が容易になる。更に、端子台３１は、解除釦３１２が本体５０の第２側壁５０ｄ側を向くように配置される。特に、端子台３１は、解除釦３１２の操作方向（つまり、押圧方向）が本体５０の幅方向に沿うように配置される。これによって、解除釦３１２の操作が容易になり、電線を接続孔３１１から引き抜く作業が容易になる。更に、端子台３１は、本体５０の幅方向において、第２開口５０２の第２側壁５０ｄ側の縁５０２ｂから所定間隔を隔てて配置されている。これは、端子台３１を人が操作するためのスペースを確保するためである。これによって、端子台３１に電線を接続する作業、及び、端子台３１から電線を取り外す作業が行いやすくなる。
【００３７】
端子台３４は、延出部６１の長さ方向の第２端に配置される。つまり、端子台３４も、端子台３１と同様に、本体５０の高さ方向及び幅方向に交差する所定方向（本体５０の長さ方向）において、延出部６１の端にある。そして、端子台３４は、端子台３１と同様に接続孔への電線の挿入方向が所定方向に沿うように配置される。また、端子台３４は、端子台３１と同様に、解除釦の操作方向が本体５０の幅方向に沿うように配置される。更に、端子台３４は、端子台３１と同様に、本体５０の幅方向において、第２開口５０２の第２側壁５０ｄ側の縁５０２ｂから所定間隔を隔てて配置されている。したがって、端子台３４に電線を接続する作業、及び、端子台３１から電線を取り外す作業が行いやすくなる。
【００３８】
反射板８０は、光源ブロック２０からの光を、第１開口５０１から本体５０の外方に向けて反射するための部材である。反射板８０は、図１に示すように、光源ブロック２０からの光を反射する反射面８００を有する。より詳細には、反射板８０は、図９に示すように、取付部８１と、反射部８２とを備える。反射部８２は、長さ、幅、及び厚みを有する矩形板状である。反射部８２の長さは、光源ブロック２０の導光板２２の長さよりも大きい。反射部８２の厚み方向の第１面（図９の下面）が反射面８００として用いられる。取付部８１は、反射板８０を本体５０に取り付けるために用いられる。取付部８１は、反射部８２の幅方向の一端（図９の左端）から厚み方向の第２面（図９の上面）の向く方向に突出する。反射板８０は、図１に示すように本体５０内に収容される。ここで、反射板８０の反射面８００は、第１開口５０１側に向けられる。また、反射板８０は、第１側壁５０ｃと光源ブロック２０との間に位置する。ただし、反射板８０は、第１面５０ａよりも第２面５０ｂに近い位置にある。このように、反射板８０は、反射面８００が第１開口５０１を向くように、本体５０内において、第１側壁５０ｃと光源ブロック２０との間に位置する。
【００３９】
反射板８０は、ねじＳ１３を用いて反射板８０の取付部８１を本体５０の第１側壁５０ｃに固定することで、本体５０に取り付けられる。ここで、ねじＳ１３は、本体５０の外側から本体５０に取り付けられる。つまり、反射板８０は、本体５０の外側から本体５０に取り付けられる固定具（ねじＳ１３）により本体５０に取り付けられる。よって、反射板８０を本体５０に取り付ける際には、本体５０の外側で固定具（ねじＳ１３）に取り付ける必要がある。そのため、本体５０の内側の作業だけでは、反射板８０を本体５０に取り付けることができない。逆に言えば、本体５０の内側の作業だけでは、反射板８０を本体５０から取り外すことができない。
【００４０】
実施形態では、反射板８０は、金属製である。一例では、反射板８０は、金属板の打ち抜き加工、及び折り曲げ加工により形成され得る。なお、反射板８０を形成するための金属板は、表面が塗装されていてよく、これによって、絶縁性、耐熱性、耐候性、意匠性等の所望の特性を付与できる。特に、反射部８２の厚み方向の第１面は、光源ブロック２０からの光の反射性を向上させるために塗装され得る。本実施形態では、反射部８２の厚み方向の第１面は、白色に塗装されている。
【００４１】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００４２】
一変形例では、照明器具１０は、天井１００以外の建物を構成する部材に設置され得る。建物を構成する部材の例としては、床及び壁（内壁又は外壁）が挙げられる。したがって、照明器具１０は、必ずしも本体５０の第１面５０ａが下方を向き、第２面５０ｂが上方を向くように設置されるわけではない。
【００４３】
一変形例では、照明器具１０は、光源ブロック２０、及び、反射板８０を有していなくてもよい。照明器具１０は、少なくとも、回路ブロック３０及び筐体４０を有していればよい。
【００４４】
一変形例では、光源ブロック２０は、サイドライト方式の光源ではなく、バックライト方式の光源であってもよい。更に、光源ブロック２０は、面光源でなくてもよい。光源ブロック２０の光源２１は、ＬＥＤに限定されず、有機ＥＬ素子を備えていてもよい。
【００４５】
一変形例では、回路ブロック３０の端子台３１、端子台３２、電源ユニット３３、及び、端子台３４は、必ずしも、上述の所定方向に並ぶ必要はない。上述の所定方向は、上記実施形態では、本体５０の高さ方向及び幅方向に直交する方向（本体５０の長さ方向）であるが、本体５０の高さ方向及び幅方向に交差する方向であってよい。特に、所定方向は、本体５０の高さ方向に直交しているほうが好ましいが、本体５０の幅方向には必ずしも直交していなくてよい。
【００４６】
一変形例では、回路ブロック３０は、必ずしも、端子台３１、端子台３２、電源ユニット３３、及び、端子台３４を全て備えている必要はない。照明器具１０がバッテリを備えている場合には、外部電源との接続は不要であるから、外部装置との接続用の端子台３４を有していればよい。また、光源ブロック２０と電源ユニット３３とが直接的に接続可能であれば、端子台３２は不要である。また、外部電源により直接的に光源ブロック２０を駆動できるのであれば、電源ユニット３３も省略可能である。
【００４７】
一変形例では、筐体４０は、必ずしも、保持具６０を備えている必要はない。つまり、回路ブロック３０は、本体５０に直接的に固定されてよい。また、筐体４０は、必ずしも、固定具７０を備えている必要はない。つまり、本体５０は、天井１００（バー１２０）に直接的に固定されてよい。
【００４８】
一変形例では、本体５０は、高さ及び幅を有する箱状であればよく、必ずしも直方体の箱状である必要はない。例えば、本体５０は、円形又は多角形の箱状であってよく、この場合、幅は、高さ方向に直交する方向の寸法として選択されてよい。また、本体５０において、第２開口５０２は、光源ブロック２０と本体５０の高さ方向に直交する面内において重複していなければよく、必ずしも、第２側壁５０ｄよりも第１側壁５０ｃ側に位置していなくてもよい。つまり、第２開口５０２の位置は、光源ブロック２０の位置によって適宜変更可能である。
【００４９】
一変形例では、保持具６０は、本体５０に一体的に設けられてもよい。保護部６２は、回路ブロック３０だけではなく、第２開口５０２全体を覆うような形状であってよい。ただし、保持具６０は、必ずしも、保護部６２を有している必要はない。また、保持具６０の形状は、上記実施形態に限定されない。要するに、保持具６０は、回路ブロック３０を保持できる構造であればよい。
【００５０】
一変形例では、固定具７０は、本体５０に一体的に設けられてもよい。また、固定具７０の形状は、上記実施形態に限定されない。要するに、固定具７０は、建物を構成する部材に本体５０を取り付けることができる構造であればよい。
【００５１】
一変形例では、反射板８０は、本体５０の内側から本体５０に取り付けられる固定具により本体５０に取り付けられてもよい。また、反射板８０は、必ずしも、本体５０内において、第１側壁５０ｃと光源ブロック２０との間にある必要はない。また、反射板８０の形状は、上記実施形態に限定されない。要するに、反射板８０は、光源ブロック２０からの光を反射する反射面８００を有する構造であればよい。なお、上記実施形態では、反射面８００は平坦な面であるが、反射面８００は、曲面であってもよいし、複数の平面が組み合わせされた面であってよく、所望の光の配向が得られるように設計されていればよい。
【００５２】
３．態様
上記実施形態及び変形例から明らかなように、本開示は、下記の態様を含む。以下では、実施形態との対応関係を明示するためだけに、符号を括弧付きで付している。
【００５３】
第１の態様は、照明器具（１０）であって、光源ブロック（２０）に電気的に接続される回路ブロック（３０）と、前記光源ブロック（２０）及び前記回路ブロック（３０）を保持する筐体（４０）とを備える。前記筐体（４０）は、高さ及び幅を有する箱状であって高さ方向の第１面（５０ａ）及び第２面（５０ｂ）に第１開口（５０１）及び第２開口（５０２）をそれぞれ有する本体（５０）を有する。前記筐体（４０）は、前記光源ブロック（２０）からの光を前記第１開口（５０１）を通して前記本体（５０）の外部に出射させるように前記光源ブロック（２０）を保持する。前記第２開口（５０２）は、前記本体（５０）の高さ方向に直交する面内において、前記光源ブロック（２０）と重複していない。前記筐体（４０）は、前記回路ブロック（３０）を、前記第２開口（５０２）から前記本体（５０）の内部に前記回路ブロック（３０）の一部が突出した状態で保持する。この態様によれば、回路ブロック（３０）への電線の接続の作業性を向上でき、かつ、（照明器具１０及び筐体４０の）高さ方向の寸法を小さくできる。
【００５４】
第２の態様は、第１の態様に基づく照明器具（１０）である。第２の態様では、前記筐体（４０）は、前記光源ブロック（２０）を、前記本体（５０）内における前記本体（５０）の幅方向の第１側壁（５０ｃ）よりも第２側壁（５０ｄ）側で保持する。この態様によれば、（照明器具１０及び筐体４０の）幅方向の寸法を小さくできる。
【００５５】
第３の態様は、第２の態様に基づく照明器具（１０）である。第３の態様では、前記第２開口（５０２）は、前記第２側壁（５０ｄ）よりも前記第１側壁（５０ｃ）側に位置する。この態様によれば、（照明器具１０及び筐体４０の）幅方向の寸法を小さくできる。
【００５６】
第４の態様は、第２又は第３の態様に基づく照明器具（１０）である。第４の態様では、前記筐体（４０）は、前記回路ブロック（３０）を保持する保持具（６０）を有する。前記保持具（６０）は、前記第２開口（５０２）の前記第１側壁（５０ｃ）側の縁（５０２ａ）から前記本体（５０）の高さ方向に沿って前記本体（５０）の外方に延びる延出部（６１）を有する。前記回路ブロック（３０）は、前記回路ブロック（３０）の高さ方向が前記本体（５０）の幅方向に沿うように前記延出部（６１）に固定される。この態様によれば、回路ブロック（３０）への電線の接続の作業性を向上でき、かつ、（照明器具１０及び筐体４０の）高さ方向の寸法を小さくできる。
【００５７】
第５の態様は、第４の態様に基づく照明器具（１０）である。第５の態様では、前記保持具（６０）は、前記延出部（６１）の先端から、前記本体（５０）の幅方向に沿って突出し、前記本体（５０）の高さ方向に直交する面内において、前記回路ブロック（３０）の全体を覆う保護部（６２）を有する。この態様によれば、回路ブロック（３０）の保護が図れる。
【００５８】
第６の態様は、第５の態様に基づく照明器具（１０）である。第６の態様では、前記回路ブロック（３０）は、電線が接続される端子台（３１）を含む。この態様によれば、回路ブロック（３０）への電線の接続の作業性を向上できる。
【００５９】
第７の態様は、第６の態様に基づく照明器具（１０）である。第７の態様では、前記端子台（３１）は、前記本体（５０）の高さ方向及び幅方向に交差する所定方向において、前記延出部（６１）の端にある。この態様によれば、回路ブロック（３０）への電線の接続の作業性を向上できる。
【００６０】
第８の態様は、第７の態様に基づく照明器具（１０）である。第８の態様では、前記端子台（３１）は、電線が挿入される接続孔（３１１）を有する。前記端子台（３１）は、前記接続孔（３１１）への電線の挿入方向が前記所定方向に沿うように配置される。この態様によれば、回路ブロック（３０）への電線の接続の作業性を向上できる。
【００６１】
第９の態様は、第８の態様に基づく照明器具（１０）である。第９の態様では、前記端子台（３１）は、前記接続孔（３１１）から電線を引き抜くための解除釦（３１２）を有する。前記端子台（３１）は、前記解除釦（３１２）の操作方向が前記本体（５０）の幅方向に沿うように配置される。この態様によれば、回路ブロック（３０）からの電線の取り外しの作業性を向上できる。
【００６２】
第１０の態様は、第９の態様に基づく照明器具（１０）である。第１０の態様では、前記端子台（３１）は、前記本体（５０）の幅方向において、前記第２開口（５０２）の前記第２側壁（５０ｄ）側の縁（５０２ｂ）から所定間隔を隔てて配置されている。この態様によれば、回路ブロック（３０）への電線の接続の作業性を向上できる。
【００６３】
第１１の態様は、第２〜第１０の態様のいずれか一つに基づく照明器具（１０）である。第１１の態様では、前記光源ブロック（２０）からの光を反射する反射面（８００）を有する反射板（８０）を更に備える。前記反射板（８０）は、前記反射面（８００）が前記第１開口（５０１）を向くように、前記本体（５０）内において、前記第１側壁（５０ｃ）と前記光源ブロック（２０）との間に位置する。この態様によれば、本体（５０）の幅方向の寸法の増加を抑えながら、第１開口（５０１）から出射される光の量を増やすことができる。
【００６４】
第１２の態様は、第１１の態様に基づく照明器具（１０）である。第１２の態様では、前記反射板（８０）は、前記本体（５０）の外側から前記本体（５０）に取り付けられる固定具（Ｓ１１）により前記本体（５０）に取り付けられる。この態様によれば、照明器具（１０）の設置後に反射板（８０）を本体（５０）に取り付ける作業が行えないから、反射板（８０）の本体（５０）の取り付け時に反射板（８０）が落下する等の事故が起こることがない。
【００６５】
第１３の態様は、第２〜第１２の態様のいずれか一つに基づく照明器具（１０）である。第１３の態様では、前記本体（５０）は、前記第１面（５０ａ）の前記第１側壁（５０ｃ）側の縁（５０１ａ）から前記本体（５０）の幅方向に沿って前記本体（５０）の外方に突出するフランジ部（５１３）を備える。この態様によれば、照明器具（１０）の本体（５０）の第１側壁（５０ｃ）と他の物体（パーティション１１１）との隙間を隠すことができる。
【００６６】
第１４の態様は、第１３の態様に基づく照明器具（１０）である。第１４の態様では、前記フランジ部（５１３）は第１フランジ部である。前記本体（５０）は、前記第１面（５０ａ）の前記第２側壁（５０ｄ）側の縁（５０１ｂ）から前記本体（５０）の幅方向に沿って前記本体（５０）の外方に突出する第２フランジ部（５２３）を備える。前記第１フランジ部（５１３）は、前記第２フランジ部（５２３）よりも、前記本体（５０）の幅方向における寸法が長い。この態様によれば、照明器具（１０）の本体（５０）の第２側壁（５０ｄ）と他の物体（天井パネル１３０）との隙間を隠すことができる。
【００６７】
第１５の態様は、第１〜第１４の態様のいずれか一つに基づく照明器具（１０）であって、前記光源ブロック（２０）を更に備える。この態様によれば、回路ブロック（３０）への電線の接続の作業性を向上でき、かつ、（照明器具１０及び筐体４０の）高さ方向の寸法を小さくできる。
【符号の説明】
【００６８】
１０  照明器具
２０  光源ブロック
３０  回路ブロック
３１  端子台
３１１  接続孔
３１２  解除釦
４０  筐体
５０  本体
５０ａ  第１面
５０ｂ  第２面
５０ｃ  第１側壁
５０ｄ  第２側壁
５０１  第１開口
５０１ａ  縁
５０１ｂ  縁
５０２  第２開口
５０２ａ  縁
５０２ｂ  縁
５１３  フランジ部（第１フランジ部）
５２３  第２フランジ部
６０  保持具
６１  延出部
６２  保護部
８０  反射板
８００  反射面
Ｓ１１  ねじ（固定具）
【図１】
2020181741.tif 000003
【図２】
2020181741.tif 000004
【図３】
2020181741.tif 000005
【図４】
2020181741.tif 000006
【図５】
2020181741.tif 000007
【図６】
2020181741.tif 000008
【図７】
2020181741.tif 000009
【図８】
2020181741.tif 000010
【図９】
2020181741.tif 000011
【図１０】
2020181741.tif 000012